(57)【要約】【解決手段】多搬送波無線通信システムに関する順方向リンク割り当てと逆方向リンク割り当てを切り離すための方法およびシステム。方法は、基地局からアクセス端末装置にデータを送信するのに、２つ以上の順方向リンクＣＤＭＡ（符号分割多元接続）搬送波を割り当て、アクセス端末装置から基地局にデータを送信するのに、１つまたは複数の逆方向リンクＣＤＭＡ搬送波を割り当て、それら２つ以上の順方向リンクＣＤＭＡ搬送波に対応する逆方向リンクオーバヘッド伝送を制限することができる。【選択図】      図３Ａ
2008533828.tif 000002
【特許請求の範囲】
【請求項１】
基地局からアクセス端末装置にデータを送信するのに２つ以上の順方向リンクＣＤＭＡ（符号分割多元接続）搬送波を割り当てること、
前記アクセス端末装置から前記基地局にデータを送信するのに１つまたは複数の逆方向リンクＣＤＭＡ搬送波を割り当てること、および
前記２つ以上の順方向リンクＣＤＭＡ搬送波に対応する逆方向リンクオーバヘッド伝送を、前記逆方向リンク上で前記順方向リンクより少ない数の搬送波に制限することを含む方法。
【請求項２】
各順方向リンク搬送波は、１．２５ＭＨｚ幅である請求項１に記載の方法。
【請求項３】
逆方向リンクオーバヘッド伝送を制限することは、
前記２つ以上の順方向リンクＣＤＭＡ搬送波に対応するＤＲＣ（データ転送速度制御）情報を時間分割多重化すること、および
前記時間分割多重化されたＤＲＣ情報を１つの逆方向リンクＣＤＭＡ搬送波上で前記基地局に送信することを含む請求項１に記載の方法。
【請求項４】
逆方向リンクオーバヘッド伝送を制限することは、ＤＲＣ（データ転送速度制御）情報とＤＲＣカバーを１つまたは複数の逆方向リンクＣＤＭＡ搬送波上で前記基地局に別々に送信することを含み、同一のＤＲＣカバーが、２つ以上の順方向リンクＣＤＭＡ搬送波に関して送信される請求項１に記載の方法。
【請求項５】
前記ＤＲＣカバーは、各順方向リンクＣＤＭＡ搬送波に関して送信されるＤＲＣ情報と一緒に反復されることはない請求項４に記載の方法。
【請求項６】
逆方向リンクオーバヘッド伝送を制限することは、
前記２つ以上の順方向リンクＣＤＭＡ搬送波に対応するＡＣＫ（肯定応答）およびＮＡＫ（否定応答）を時間分割多重化すること、および
前記時間分割多重化されたＡＣＫおよびＮＡＫを１つの逆方向リンクＣＤＭＡ搬送波上で前記基地局に送信することを含む請求項１に記載の方法。
【請求項７】
ＡＣＫ通信路送信時間は、１／４スロットである請求項６に記載の方法。
【請求項８】
逆方向リンクオーバヘッド伝送を制限することは、
複数のウォルシュ符号の同相成分および直交位相成分を使用して、１／２スロットないし１スロットの時間でＡＣＫ（肯定応答）およびＮＡＫ（否定応答）の通信路を送信することを含む請求項１に記載の方法。
【請求項９】
逆方向リンクオーバヘッド伝送を制限することは、
前記アクセス端末装置から前記基地局に単一の逆方向リンク搬送波上で単一のＤＳＣ（データソース通信路）通信路伝送を送信することを含む請求項１に記載の方法。
【請求項１０】
前記２つ以上の順方向リンク搬送波から受信されたデータをソフト合成することをさらに含む請求項１に記載の方法。
【請求項１１】
データの複数のパケットを、個々の順方向リンク搬送波上で異なる時刻に送信すること、および
非同期伝送を使用して、複数の順方向リンク搬送波にわたるソフトハンドオフをサポートすることをさらに含む請求項１０に記載の方法。
【請求項１２】
順方向リンクトラフィックに関するＭＡＣ（メディアアクセス制御）インデックスの数を増やすことをさらに含む請求項１に記載の方法。
【請求項１３】
複数の順方向リンク搬送波が割り当てられたアクセス端末装置へのプリアンブル伝送のために複数のＭＡＣ（メディアアクセス制御）インデックスを使用することをさらに含む請求項１に記載の方法。
【請求項１４】
基地局からアクセス端末装置にデータを送信するのに２つ以上の順方向リンクＣＤＭＡ（符号分割多元接続）搬送波を割り当て、
前記アクセス端末装置から前記基地局にデータを送信するのに１つまたは複数の逆方向リンクＣＤＭＡ搬送波を割り当てるように適合されたコントローラを含み、
前記アクセス端末装置は、前記２つ以上の順方向リンクＣＤＭＡ搬送波に対応する逆方向リンクオーバヘッド伝送を、前記逆方向リンク上で前記順方向リンクより少ない数の搬送波に制限するように適合されるシステム。
【請求項１５】
前記コントローラは、前記基地局である請求項１４に記載のシステム。
【請求項１６】
前記コントローラは、基地局コントローラである請求項１４に記載のシステム。
【請求項１７】
各順方向リンク搬送波は、１．２５ＭＨｚ幅である請求項１４に記載のシステム。
【請求項１８】
前記コントローラは、データの複数のパケットを、個々の順方向リンク搬送波上で異なる時刻に送信するようにさらに適合される請求項１４に記載のシステム。
【請求項１９】
基地局からデータを、２つ以上の順方向リンクＣＤＭＡ（符号分割多元接続）搬送波上で受信する受信機と、
前記基地局にデータを、１つまたは複数の逆方向リンクＣＤＭＡ搬送波上で送信する送信機と、
前記２つ以上の順方向リンクＣＤＭＡ搬送波に対応する逆方向リンクオーバヘッド伝送を、前記逆方向リンク上で前記順方向リンクより少ない数の搬送波に制限する手段とを含むアクセス端末装置。
【請求項２０】
逆方向リンクオーバヘッド伝送を制限する手段は、
前記順方向リンクＣＤＭＡ搬送波に対応するＤＲＣ（データ転送速度制御）情報を時間分割多重化する手段と、
前記時間分割多重化されたＤＲＣ情報を１つの逆方向リンクＣＤＭＡ搬送波上で前記基地局に送信する手段とを含む請求項１９に記載のアクセス端末装置。
【請求項２１】
逆方向リンクオーバヘッド伝送を制限する手段は、
ＤＲＣ（データ転送速度制御）情報をＤＲＣカバーとは別に、１つまたは複数の逆方向リンクＣＤＭＡ搬送波上で前記基地局に送信する手段を含み、前記ＤＲＣカバーは、各順方向リンクＣＤＭＡ搬送波に関して送信されるＤＲＣ情報と一緒に反復されることはない請求項１９に記載のアクセス端末装置。
【請求項２２】
逆方向リンクオーバヘッド伝送を制限する手段は、
前記順方向リンクＣＤＭＡ搬送波に対応するＡＣＫ（肯定応答）およびＮＡＫ（否定応答）を時間分割多重化する手段と、
前記時間分割多重化されたＡＣＫおよびＮＡＫを１つの逆方向リンクＣＤＭＡ搬送波上で前記基地局に送信する手段とを含む請求項１９に記載のアクセス端末装置。
【請求項２３】
ＡＣＫ通信路送信時間は、１／４スロットである請求項２２に記載のアクセス端末装置。
【請求項２４】
逆方向リンクオーバヘッド伝送を制限する手段は、
複数のウォルシュ符号の同相成分および直交位相成分を使用して、１スロットまたは１／２スロットの時間でＡＣＫ（肯定応答）およびＮＡＫ（否定応答）の通信路を送信する手段を含む請求項１９に記載のアクセス端末装置。
【請求項２５】
逆方向リンクオーバヘッド伝送を制限する手段は、
前記アクセス端末装置から前記基地局に単一の逆方向リンク搬送波上で単一のＤＳＣ（データソース通信路）通信路伝送を送信する手段を含む請求項１９に記載のアクセス端末装置。
【請求項２６】
前記２つ以上の順方向リンク搬送波から受信されたデータをソフト合成する手段をさらに含む請求項１９に記載のアクセス端末装置。
【請求項２７】
非同期伝送を使用して、複数の順方向リンク搬送波にわたるソフトハンドオフをサポートする手段をさらに含む請求項１９に記載のアクセス端末装置。
【発明の詳細な説明】
【技術分野】
【０００１】
（米国特許法１１９条の下における優先権の主張）
本出願は、参照により組み込まれている、２００５年３月８日に出願した「Ｄｅ−Ｃｏｕｐｌｉｎｇ  Ｆｏｒｗａｒｄ  ａｎｄ  Ｒｅｖｅｒｓｅ  Ｌｉｎｋ  Ａｓｓｉｇｎｍｅｎｔ  ｆｏｒ  Ｍｕｌｔｉ−Ｃａｒｒｉｅｒ  Ｗｉｒｅｌｅｓｓ  Ｃｏｍｍｕｎｉｃａｔｉｏｎ  Ｓｙｓｔｅｍｓ」という名称の、本発明の譲受人に譲渡された米国特許仮出願第６０／６５９，９５５号の優先権を主張する。
【０００２】
本発明は、一般に、無線通信システムに関し、より具体的には、多搬送波無線通信システムにおける順方向リンク割り当てと逆方向リンク割り当てを切り離すための方法および装置に関する。
【背景技術】
【０００３】
通信システムは、いくつかの基地局と、いくつかのアクセス端末装置との間で通信を提供することができる。順方向リンクまたはダウンリンクとは、基地局からアクセス端末装置への伝送を指す。逆方向リンクまたはアップリンクとは、アクセス端末装置から基地局への伝送を指す。各アクセス端末装置は、アクセス端末装置が、活性であるかどうか、およびアクセス端末装置が、ソフトハンドオフ中であるかどうかに応じて、所与の時点において順方向リンク上、および逆方向リンク上で１つまたは複数の基地局と通信することができる。
【発明の開示】
【０００４】
本出願の特徴、性質、および利点は、図面とともに以下に記載する詳細な説明から、より明白となることが可能である。同様の参照の数字および文字は、同一の、または同様の対象を同定することが可能である。
【発明を実施するための最良の形態】
【０００５】
本明細書で説明するいずれの実施形態も、必ずしも、他の実施形態より好ましい、または有利であることはない。本開示の様々な態様を図面で提示するが、図面は、必ずしも一律の縮尺に従って描かれておらず、あるいはすべて含むようには描かれていない。
【０００６】
図１は、システムコントローラ１０２、基地局１０４ａ〜１０４ｂ、および複数のアクセス端末装置１０６ａ〜１０６ｈを含む無線通信システム１００を示す。システム１００は、任意の数のコントローラ１０２、基地局１０４、およびアクセス端末装置１０６を有することが可能である。後段で説明する本開示の様々な態様および実施形態は、システム１００において実施されることが可能である。
【０００７】
アクセス端末装置１０６は、移動性であることも、静止していることも可能であり、図１の通信システム１００全体にわたって散在していることが可能である。アクセス端末装置１０６は、ラップトップパーソナルコンピュータなどのコンピューティングデバイスに接続される、またはそのようなデバイスにおいて実施されることが可能である。代替として、アクセス端末装置は、パーソナルデジタルアシスタントなどの自己完結型のデータデバイスであってもよい。アクセス端末装置１０６は、有線電話機、無線電話器、セルラー電話機、ラップトップコンピュータ、無線通信ＰＣ（パーソナルコンピュータ）カード、ＰＤＡ（パーソナルデジタルアシスタント）、外部モデムもしくは内部モデムなどの、様々なタイプのデバイスを指すことが可能である。アクセス端末装置は、無線通信路を介して、あるいは、例えば、光ファイバまたは同軸ケーブルを使用する有線通信路を介して通信することにより、ユーザにデータ接続性を提供する任意のデバイスであることが可能である。アクセス端末装置は、移動局、アクセス装置、加入者装置（ｓｕｂｓｃｒｉｂｅｒ  ｕｎｉｔ）、移動デバイス、移動端末装置、移動装置、移動電話機、移動体、遠隔局、遠隔端末装置、遠隔装置、ユーザデバイス、ユーザ機器、ハンドヘルドデバイスなどの、様々な名前を有することが可能である。
【０００８】
システム１００は、１つまたは複数の基地局１０４によるサービスをそれぞれが受ける、いくつかのセルに関する通信を提供する。また、基地局１０４は、ＢＴＳ（基地局トランシーバシステム）、アクセスポイント、アクセスネットワークの一部分、ＭＰＴ（モデムプールトランシーバ）、またはノードＢと呼ばれることも可能である。アクセスネットワークとは、パケット交換データ網（例えば、インターネット）とアクセス端末装置１０６との間でデータ接続性を提供するネットワーク設備を指す。
【０００９】
ＦＬ（順方向リンク）またはダウンリンクとは、基地局１０４からアクセス端末装置１０６への伝送を指す。ＲＬ逆方向リンクまたはアップリンクとは、アクセス端末装置１０６から基地局１０４への伝送を指す。
【００１０】
基地局１０４は、様々なデータ転送速度のセットから選択されたデータ転送速度を使用して、アクセス端末装置１０６にデータを送信することができる。アクセス端末装置１０６は、基地局１０４によって送信されたパイロット信号のＳＩＮＲ（信号対干渉雑音（ｓｉｇｎａｌ−ｔｏ−ｎｏｉｓｅ−ａｎｄ−ｉｎｔｅｒｆｅｒｅｎｃｅ  ｒａｔｉｏ））を測定し、基地局１０４がデータをアクセス端末装置１０６に送信する、所望されるデータ転送速度を決定することができる。アクセス端末装置１０６は、データ要求通信路メッセージまたはＤＲＣ（データ転送速度制御）メッセージを基地局１０４に送信して、所望されるデータ転送速度を基地局１０４に知らせることができる。
【００１１】
システムコントローラ１０２（ＢＳＣ（基地局コントローラ）とも呼ばれる）が、複数の基地局１０４に関する調整および制御を提供することができ、複数の基地局１０４を介するアクセス端末装置１０６への呼出のルーティングをさらに制御することができる。システムコントローラ１０２は、ＭＳＣ（移動交換局）を介してＰＳＴＮ（公衆交換電話網）にさらに結合されること、およびＰＤＳＮ（パケットデータサービングノード）を介してパケットデータ網にさらに結合されることが可能である。
【００１２】
通信システム１００は、ＣＤＭＡ（符号分割多元接続）、ＩＳ−９５、「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」において規定されるＨＤＲ（ｈｉｇｈ  ｄａｔａ  ｒａｔｅ）とも呼ばれるＨＲＰＤ（ｈｉｇｈ  ｒａｔｅ  ｐａｃｋｅｔ  ｄａｔａ）、ＴＩＡ／ＥＩＡ／ＩＳ−８５６、ＣＤＭＡ  １ｘ  ＥＶ−ＤＯ（ｅｖｏｌｕｔｉｏｎ  ｄａｔａ  ｏｐｔｉｍｉｚｅｄ）、１ｘＥＶ−ＤＶ、ＷＣＤＭＡ（広帯域ＣＤＭＡ）、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）、ＴＤ−ＳＣＤＭＡ（時間分割同期ＣＤＭＡ）、ＯＦＤＭ（直交周波数分割多重方式）などの、１つまたは複数の通信技術を使用することができる。後段で説明する実施例は、理解しやすいように、詳細を提供する。本明細書で提示する考えは、他のシステムにも適用可能であり、これらの実施例は、本出願を限定することを意図していない。
【００１３】
（多搬送波システム）
本明細書で説明する「多搬送波」システムは、各「搬送波」が、無線周波数範囲に対応する、周波数分割多重方式を使用することが可能である。例えば、搬送波は、１．２５メガヘルツ幅であることが可能であるが、他の搬送波サイズが、使用されてもよい。また、搬送波は、ＣＤＭＡ搬送波、リンク、またはＣＤＭＡ通信路と呼ばれることも可能である。
【００１４】
データフロー要件は、順方向リンクまたは逆方向リンクのより多大な使用に偏っていることが可能である。後段の説明は、多搬送波無線通信システムにおける順方向リンク割り当てと逆方向リンク割り当てを切り離すことに関する。システム１００は、Ｍ個の順方向リンク（つまり、搬送波）、およびＮ個の逆方向リンク（つまり、搬送波）をアクセス端末装置１０６に割り当て、ただし、ＭとＮは、等しくないことが可能である。後段の説明は、逆方向リンクオーバヘッドを小さくするオーバヘッド通信路伝送のための機構を説明する。
【００１５】
基地局、ＢＳＣ、またはＭＳＣは、アクセス端末装置に割り当てられるＦＬ搬送波の数を決定することができる。また、基地局、ＢＳＣ、またはＭＳＣは、通信路条件、端末装置のための利用可能なデータ、端末装置電力増幅器ヘッドルーム（ｈｅａｄｒｏｏｍ）、およびアプリケーションフローなどの諸条件に応じて、アクセス端末装置に割り当てられるＦＬ搬送波の数を変更することもできる。
【００１６】
アクセス端末装置１０６は、基地局１０４から伝送された音声、イメージファイル、ビデオクリップ、データファイルなどを使用することが可能な、インターネットアプリケーション、テレビ会議、映画、ゲームなどのアプリケーションを実行することができる。これらのアプリケーションには、以下の２つのタイプが含まれることが可能である。すなわち、
１．遅延耐性のある（Ｄｅｌａｙ−ｔｏｌｅｒａｎｔ）高い順方向リンクスループットおよび低い逆方向リンクスループットのタイプ、および
２．遅延に弱い（Ｄｅｌａｙ−ｓｅｎｓｉｔｉｖｅ）低い順方向リンクスループットおよび低い逆方向リンクスループットのタイプである。
【００１７】
また、その他のタイプのアプリケーションが存在することも可能である。
【００１８】
システム１００が、順方向リンク上で複数の搬送波を使用して、高いスループットを実現する、またはスペクトル効率を最大化する場合、アクセス端末装置１０６は、逆方向リンク上の関連するすべての搬送波における伝送を回避して、逆方向リンク効率を向上させることができる。
【００１９】
より遅いＤＲＣ更新が許容できるタイプ１のアプリケーションに関して、アクセス端末装置１０６は、以下を行うことができる。すなわち、
ａ）継続的なパイロット信号を一次逆方向リンク搬送波上で送信する、
ｂ）一次逆方向リンク搬送波上でだけ、データを送信する、
ｃ）各ＦＬ搬送波に関するＤＲＣを、一次逆方向リンク搬送波上で時間分割多重化された形で送信し、そうすることは、より遅いＤＲＣ通信路更新が、許容できることを前提とする、
ｄ）各ＦＬ搬送波に関するＡＣＫ（肯定応答）またはＮＡＫ（否定応答）を、必要に応じて送信する。アクセス端末装置１０６は、ＡＣＫ通信路、例えば、パイロットフィルタウォームアップ（ｗａｒｍ  ｕｐ）に関するＡＣＫ伝送の周囲の１／２スロット周辺部（ｓｌｏｔ  ｓｋｉｒｔ）を送信する際に、二次搬送波上で、ゲートパイロット（ｇａｔｅｄ  ｐｉｌｏｔ）を（一次ＲＬ搬送波上のパイロットと同一の電力レベルで）送信することができる。
【００２０】
より遅いＤＲＣ更新が、許容できない可能性があるタイプ１のアプリケーションに関して、アクセス端末装置１０６は、以下を行うことができる。すなわち、
ａ）イネーブルにされた順方向リンク搬送波に関連する、すべての逆方向リンク搬送波上で継続的なパイロット信号を送信する、
ｂ）一次逆方向リンク搬送波上でだけ、データを送信する、
ｃ）各ＦＬ搬送波に関するＡＣＫを、必要に応じて送信する。
【００２１】
タイプ２のアプリケーションに関して、アクセス端末装置１０６は、以下を行うことができる。すなわち、
ａ）一次逆方向リンク搬送波上で継続的なパイロットを送信する、
ｂ）一次逆方向リンク搬送波上でだけ、データを送信する、
ｃ）各ＦＬ搬送波に関するＤＲＣを、一次逆方向リンク搬送波上で時間分割多重化された形で送信し、そうすることは、より遅いＤＲＣ通信路更新が、許容できることを前提とする、
ｄ）一次逆方向リンク搬送波上でだけ、ＡＣＫを送信する。基地局１０４は、すべての順方向リンク搬送波にわたってインフライト（ｉｎ  ｆｌｉｇｈｔ）であるパケットが、１つを超えないことを確実にするように制約されることが可能である。基地局１０４は、伝送されたＦＬパケットのタイミングに基づいて、ＡＣＫ関連付けを決定することができる。
【００２２】
代替として、アクセス端末装置１０６は、代替の形態のＡＣＫ通信路伝送を実行することができる。すなわち、
ａ）所望される場合、例えば、システム１００が、さらなるＦＬ搬送波をサポートする場合、ＡＣＫ通信路送信時間間隔を短くする（ＥＶ−ＤＯシステムにおいて、ＡＣＫは、１／２スロット内で伝送されることが可能である）、
ｂ）単一の１／２スロット内におけるＮ個の順方向リンク搬送波に関するＡＣＫ通信路伝送、
ｃ）ＡＣＫ通信路送信間隔は、イネーブルにされた順方向リンク搬送波の数に応じる、
ｄ）ＲＬおよびＦＬの関連付けセットアップ上のＡＣＫ通信路伝送が、ＭＡＣ（メディアアクセス制御）層１１００（図１１）におけるシグナリングを介して実施されることが可能である。
【００２３】
（多搬送波順方向トラフィック通信路ＭＡＣ）
以下の２つの搬送波割り当てモードが存在することが可能である。すなわち、対称的な搬送波割り当て、および非対称的な搬送波割り当てである。
【００２４】
図２は、例えば、ＥＶ−ＤＯデータのために使用される、３つの順方向リンク搬送波２００Ａ〜２００Ｃ、および対応する３つの逆方向リンク搬送波２０２Ａ〜２０２Ｃを有する対称的な搬送波割り当ての例を示す。対称的な搬送波割り当ては、（ａ）対称的なデータ転送速度要件を有するアプリケーション、および／または（ｂ）対称的なＦＬ／ＲＬ動作を実施するハードウェア上でサポートされる非対称的なデータ転送速度要件を有するアプリケーションのために使用されることが可能である。
【００２５】
図３Ａおよび図３Ｂは、非対称的な搬送波割り当ての例を示す。図３Ａは、３つの順方向リンク搬送波３００Ａ〜３００Ｃ、および対応する１つの逆方向リンク搬送波３０２を示す。図３Ｂは、３つの順方向リンク搬送波３００Ａ〜３００Ｃ、および対応する２つの逆方向リンク搬送波３０４Ａ、３０４Ｂを示す。非対称的な搬送波割り当ては、ＦＴＰ（ファイル転送プロトコル）ダウンロードなどの、非対称的なデータ転送速度要件を有するアプリケーションのために使用されることが可能である。非対称的な搬送波割り当ては、（ａ）より小さい逆方向リンクオーバヘッド、および（ｂ）ＦＬＴ（順方向リンクトラフィック）搬送波割り当てが、ＲＰＣ（逆方向電力制御）搬送波割り当てとは別であることを可能にするＭＡＣ通信路を有することが可能である。
【００２６】
（非対称的な順方向リンクおよび逆方向リンクの割り当て−多搬送波ＤＲＣ）
アクセス端末装置１０６は、単一の逆方向リンク搬送波上に、複数の順方向リンク搬送波に関するＤＲＣ通信路伝送を時間分割多重化することができる。
【００２７】
図１１は、図１のアクセス端末装置１０６においてＤＣＲ情報を多重化するための時間分割多重化装置１１０２を示す。
【００２８】
アクセス端末装置１０６におけるＭＡＣ層１１００（図１１）が、ＤＲＣ送信時間に基づき、ＤＲＣ−順方向リンク関連付けを提供することができる。（ＤＲＣ伝送が、単一の逆方向リンク搬送波によって示される）順方向リンク搬送波の数は、以下に依存する。すなわち、（ｉ）割り当てられたすべての順方向リンク搬送波に関するＤＲＣの伝送に要求される時間間隔である、許容できる最大ＤＲＣスパン、例えば、ＤＲＣスパン＝ｍａｘ（１６スロット、ＤＲＣＬｅｎｇｔｈ（搬送波当たり）×搬送波の数）、および（ｉｉ）１ｘＥＶ−ＤＯ  Ｒｅｖ  Ａチャネルカードなどのハードウェアによってサポートされる搬送波の数である。一実施形態では、４つのＦＬ搬送波が、単一のＲＬ搬送波に関連付けられ、そのＲＬ搬送波は、それら４つのＦＬ搬送波に関するＡＣＫを送信することによって制限される可能性がある。
【００２９】
別の実施形態では、アクセス端末装置１０６は、すべての搬送波にわたって単一のＤＲＣ通信路を使用することができる。つまり、アクセス端末装置１０６は、すべての指定されたＦＬ搬送波が、ＤＲＣによって指定された速度で、そのアクセス端末装置１０６にデータを送信するよう、単一のＤＲＣを基地局１０４に送信する。
【００３０】
別の実施形態では、アクセス端末装置１０６は、（ａ）複数の搬送波にわたる単一のＤＲＣ通信路（総数のＦＬ搬送波のうちのいくつかのＦＬ搬送波に関して同一のＤＲＣ）と、（ｂ）時間分割多重化されたＤＲＣ通信路の組み合わせを使用することができる。
【００３１】
図４Ａは、単一の順方向リンク搬送波が使用するデータ送信速度を要求する、ＤＲＣ逆方向リンク伝送（ＤＲＣ長＝８スロット）の例を示す。図４Ｂ〜図４Ｆは、多搬送波の時間分割多重化されたＤＲＣの例を示す。具体的には、図４Ｂは、２つの順方向リンク搬送波に関する単一の逆方向リンク搬送波上で伝送される２つのＤＲＣ（ＤＲＣ長＝各４スロット、ＤＲＣスパン＝８スロット）の例を示す。図４Ｃは、４つの順方向リンク搬送波に関する単一の逆方向リンク搬送波上で伝送される４つのＤＲＣ（ＤＲＣ長＝各２スロット、ＤＲＣスパン＝８スロット）の例を示す。
【００３２】
図４Ｄは、２つの順方向リンク搬送波に関する単一の逆方向リンク搬送波上で伝送される２つのインタレースされたＤＲＣ（ＤＲＣ長＝各４スロット、ＤＲＣスパン＝８スロット）の例を示す。インタレースされたＤＲＣ通信路伝送は、所与のＤＲＣＬｅｎｇｔｈに関して、さらなる時間ダイバーシチをもたらすことができる。図４Ｅは、４つの順方向リンク搬送波に関する単一の逆方向リンク搬送波上で伝送される４つのインタレースされたＤＲＣ（ＤＲＣ長＝各４スロット、ＤＲＣスパン＝１６スロット）の例を示す。図４Ｆは、４つの順方向リンク搬送波に関する単一の逆方向リンク搬送波上で伝送される４つのインタレースされたＤＲＣ（ＤＲＣ長＝各２スロット、ＤＲＣスパン＝８スロット）の例を示す。
【００３３】
（非対称的な順方向リンクおよび逆方向リンクの割り当て−多搬送波ＡＣＫ）
アクセス端末装置１０６は、図５Ｅを用いて後段で説明するとおり、単一の逆方向リンク搬送波上に複数の順方向リンク搬送波に関するＡＣＫ通信路伝送を時間分割多重化することができる。図１１は、図１のアクセス端末装置１０６においてＡＣＫ情報を多重化するための時間分割多重化装置１１０４を示す。
【００３４】
搬送波当たりのＡＣＫ通信路伝送が、例えば、１スロットから１／４スロット（各ＡＣＫが、１／４スロットに関して伝送される）に減らされることが可能であり、これは、伝送されるＡＣＫ通信路が関わるＦＬ搬送波の数に依存することが可能である。アクセス端末装置１０６におけるＭＡＣ層１１００（図１１）が、ＡＣＫ送信時間に基づいて、ＡＣＫ−順方向リンク関連付けを提供することができる。
【００３５】
図５Ａ〜図５Ｂは、２つの順方向リンク搬送波（搬送波１および２）が、異なる２つの速度（例えば、１５３．６ｋｂｐｓおよび３０７．２ｋｂｐｓ）でＦＬデータを送信するように、アクセス端末装置１０６から基地局１０４に送信される２つのＤＲＣ通信路送信要求の例を示す。図５Ａ〜図５Ｂは、基地局１０４によって復号されるＤＲＣを示すことが可能であるが、図５Ａ〜図５Ｂは、図４Ｂ〜図４Ｆの場合のように、ＤＲＣが、単一の逆方向リンク搬送波上に時間分割多重化される方法は示さない。
【００３６】
図５Ｃ〜図５Ｄにおいて、ＤＲＣに応答して、基地局１０４は、２つの順方向リンク搬送波上でＦＴＣ（順方向トラフィック通信路）サブパケットを、異なる２つの速度（例えば、１５３．６ｋｂｐｓおよび３０７．２ｋｂｐｓ）で送信する。
【００３７】
基地局１０４は、元のデータパケットのデータビットを反復し、処理して、アクセス端末装置１０６に送信すべき複数の対応する「サブパケット」にすることができる。アクセス端末装置１０６が、高い信号対雑音比の信号を経験する場合、最初のサブパケットは、アクセス端末装置１０６が、元のデータパケットを復号し、導き出すのに十分な情報を含むことが可能である。アクセス端末装置１０６が、フェージング、または低い信号対雑音比の信号を経験する場合、アクセス端末装置１０６は、最初のサブパケットだけから元のデータパケットを正しく復号して、導き出す確率が比較的低いことが可能である。
【００３８】
アクセス端末装置１０６は、最初のサブパケットを復号することに成功しなかった場合、ＮＡＫを基地局１０４に送信する。すると、基地局１０４は、第２のサブパケットを送信する。アクセス端末装置１０６は、第１のサブパケットと第２のサブパケットからの情報を組み合わせて、元のデータパケットを復号しようと試みることができる。アクセス端末装置１０６が、さらなるサブパケットを受信し、受信された各サブパケットから導き出された情報を組み合わせるにつれ、元のデータパケットを復号して、導き出す確率は、高まる。
【００３９】
図５Ｃで、基地局１０４が、元のデータパケットの第１のサブパケットを、搬送波１のスロット１内でアクセス端末装置１０６に送信する。同時に、図５Ｄで、基地局１０４は、別の元のデータパケットの第１のサブパケットを、搬送波２のスロット１内でアクセス端末装置１０６に送信する。
【００４０】
アクセス端末装置１０６は、それら２つの元のデータパケットを、それぞれ、搬送波１上、および搬送波２上で受信された第１のサブパケットから復号しようと試みる。アクセス端末装置１０６は、搬送波１上で受信された第１のサブパケットを正しく復号することができず、図５Ｅで、ＡＣＫ通信路上でＮＡＫを基地局１０４に送信し、搬送波１上で受信された第２のサブパケットを正しく復号することができず、ＡＣＫ通信路上でＮＡＫを基地局１０４に送信し、搬送波１上で受信された第３のサブパケットを正しく復号することができず、ＡＣＫ通信路上でＮＡＫを基地局１０４に送信し、搬送波１上で受信された第４のサブパケットを正しく復号することができ、ＡＣＫ通信路上でＡＣＫを基地局１０４に送信する。
【００４１】
やはり、図５Ｅで、アクセス端末装置１０６は、搬送波２上で受信された第１のサブパケットおよび第２のサブパケットを正しく復号することができず、ＮＡＫを基地局１０４に送信する。アクセス端末装置１０６は、搬送波２のスロット３上で第３のサブパケットを受信して、処理した後、元の第２のパケットを正しく復号する（例えば、ＣＲＣ（巡回冗長検査）、または他の誤り検出技術を使用して）。アクセス端末装置１０６は、搬送波２上の第２の元のパケットに関して第４のサブパケットを送信しないよう、基地局１０４にＡＣＫ（肯定応答）信号を送信する。
【００４２】
すると、基地局１０４は、次のパケットの第１のサブパケットを、搬送波２のスロット１内（ｎ＋１２）で送信することができる。図５Ｅで、アクセス端末装置１０６は、２つのＦＬ搬送波に関する単一のＡＣＫ／ＮＡＫ  ＲＬ通信路上でＡＣＫおよびＮＡＫを送信する（ＦＬ搬送波当たり１／４スロットを使用する１／２スロットＡＣＫ／ＮＡＣ通信路伝送）。
【００４３】
多搬送波ＡＣＫの別の実施形態では、アクセス端末装置１０６は、単一のＲＬ  ＡＣＫ通信路を使用することができ、ただし、ＲＬ  ＡＣＫは、パケット受信のタイミングに基づいて、ＦＬに関連付けられる（送信時間ベースのＡＣＫ通信路関連付けとも呼ばれる）。これは、ＶｏＩＰ（ボイスオーバインターネットプロトコル）タイプのトラフィックに関して使用されることが可能である。送信時間ベースのＡＣＫ通信路関連付けは、ＦＬスケジューラに制約を加えて、１回に、所与のアクセス端末装置１０６への単一のＦＬ搬送波上の伝送に制限する可能性がある。
【００４４】
（拡張された多搬送波ＤＲＣ）
別の実施形態では、アクセス端末装置１０６が、以下を含むことが可能な、拡張された多搬送波ＤＲＣを実施することができる。すなわち、
ａ）ＤＲＣ速度情報とＤＲＣカバー情報を分割する（図７および図８）、すなわち、アクセス端末装置１０６が、別々のＤＲＣ速度メッセージとＤＲＣカバーメッセージを送信することができる。アクセス端末装置１０６は、「ＤＲＣカバー」を使用して、アクセス端末装置の活性のセットの中のセクタなどの、データを送信するセクタを指定する。アクセス端末装置１０６は、そのセクタにＤＲＣを「ポイントする」という言い方がされる。アクセス端末装置１０６は、すべてのＦＬ搬送波に関して同一のＤＲＣカバーを送信することができる。ＤＲＣカバー長は、ＤＲＣ速度長と同一であることが可能である。ＤＲＣ速度長は、割り当てられたすべてのＦＬ搬送波に関するＤＲＣ速度伝送に対応することが可能である。
【００４５】
ｂ）速度に関する搬送波ごとの双直交符号化（図７）、すなわち、アクセス端末装置１０６が、ＦＬ搬送波ごとに双直交符号化されたシンボルを選択的に反復して、スロット当たり合計６４のバイナリシンボルを実現することができる。
【００４６】
ｃ）単一のＤＲＣカバー通信路（図８）が、ＦＬ搬送波の数に関わらず、アクセス端末装置１０６のために使用されることが可能である。ＤＲＣカバー通信路は、ＤＲＣカバー、および活性のＦＬ搬送波の数、例えば、１ないし１６を含むことが可能である。
【００４７】
ｄ）ＲＬ上のＤＲＣ通信路伝送、およびＦＬ関連付けが、ＭＡＣ層１１００（図１１）におけるシグナリングを介してセットアップされることが可能である。
【００４８】
図６は、単一搬送波ＤＲＣメッセージを伝送に向けて準備するためのプロセスおよび構造を示す。双直交符号器６００が、ＤＲＣシンボル（活性のスロット当たり１つの４ビットシンボル）を符号化し、活性のスロット当たり８つのバイナリシンボルを出力する。乗算器６０２が、ウォルシュカバー（ｃｏｖｅｒｉｎｇ）／符号を適用して、活性のスロット当たり１６のバイナリシンボルを生成する。信号ポイントマッピングブロック６０４が、０と１を＋１と−１にマップする。他の乗算器６０６、６０８が、さらなるウォルシュカバー／符号を適用することが可能である。
【００４９】
図７および図８は、別々の多搬送波ＤＲＣ速度とＤＲＣカバーの伝送のためのプロセスおよび構造を示す。具体的には、図７は、多搬送波ＤＲＣ速度情報を伝送に向けて準備するためのプロセスおよび構造を示す。双直交符号器７００が、ＤＲＣシンボル（順方向リンク搬送波ごとに活性のスロット当たり１つの４ビットシンボル）を符号化する。符号語反復ブロック、つまり、中継器ブロック７０２が、搬送波ごとに符号語を反復することが可能である。別の符号語反復ブロック７０４が、符号語を反復して、活性のスロット当たり６４のバイナリシンボルを生成することが可能である。信号ポイントマッピングブロック７０６が、０と１を＋１と−１にマップする。乗算器７０８が、ＤＲＣ速度通信路を示すウォルシュカバー／符号を適用する。
【００５０】
図８は、拡張された多搬送波ＤＲＣカバー情報を伝送に向けて準備するためのプロセスおよび構造を示す。双直交符号器８００が、ＤＲＣカバー情報（例えば、活性のスロット当たり１つの３ビットシンボル）、および活性のＦＬ搬送波の数（例えば、活性のスロット当たり１つの４ビットシンボル）を符号化して、活性のスロット当たり１６のバイナリシンボルを生成する。符号語反復ブロック、つまり、中継器ブロック８０２が、４倍に符号語を繰り返して、活性のスロット当たり６４のバイナリシンボルを生成することが可能である。信号ポイントマッピングブロック８０４が、０と１を＋１と−１にマップする。乗算器８０６が、ＤＲＣカバー通信路を示すウォルシュカバー／符号を適用する。
【００５１】
（多搬送波逆方向リンクウォルシュ通信路使用）
付録Ａは、拡張された多搬送波ＤＲＣのために図７および図８におけるプロセスおよび構造によって実施されることが可能なＤＲＣカバー通信路フォーマットおよびＤＲＣ速度通信路フォーマットの例を示す。他のＤＲＣカバー通信路フォーマットおよびＤＲＣ速度通信路フォーマットが、付録Ａに示されるフォーマットの代わりに、またはそれらのフォーマットに加えて、実施されてもよい。
【００５２】
（拡張された多搬送波ＡＣＫ）
アクセス端末装置１０６は、以下により、拡張された多搬送波ＡＣＫを使用することができる。すなわち、
ａ）送信されるＡＣＫ通信路が関わるＦＬ搬送波の数に応じて、１／２スロットまたは１スロットにわたってＡＣＫを送信すること。
【００５３】
ｂ）Ｉ／Ｑ位相（ウォルシュ符号Ｗ（３２，１２）のＩ（同相）、Ｑ（直角位相）、およびＷ（３２，２０）のＩ／Ｑ位相）を使用して、最初の４つの搬送波に関するＡＣＫ通信路を送信すること。さらなるＡＣＫ通信路伝送が、さらなるＦＬ搬送波に関して要求される場合、アクセス端末装置１０６は、Ｗ（３２，１２）およびＷ（３２，２０）の位相のそれぞれで１／２スロットＡＣＫを使用することができる。このため、アクセス端末装置１０６は、単一のＲＬ搬送波を使用して、８つまでのＦＬ搬送波に関するＡＣＫをサポートすることができる。
【００５４】
ｃ）ＲＬ上のＡＣＫ通信路伝送、およびＦＬ関連付けが、ＭＡＣ層１１００（図１１）におけるシグナリングを介してセットアップされることが可能である。
【００５５】
図９は、多搬送波ＡＣＫ通信路伝送を準備するための構造およびプロセスを示す。ビット反復ブロック、つまり、中継器９００が、ＡＣＫ通信路ビット（割り当てられた搬送波に関してスロット当たり１ビット）を受信し、３２倍または６４倍にビットを反復して、３２（１／２スロット）または６４（１スロット）のバイナリシンボル（１／２スロット内、または１スロット内で伝送される）を生成することができる。信号ポイントマッピングブロック９０２が、０と１を＋１と−１にマップする。乗算器９０４が、ＡＣＫ／ＮＡＫ通信路を示すウォルシュカバー／符号（Ｉ位相またはＱ位相）を適用する。
【００５６】
（多搬送波ＤＳＣ通信路伝送）
アクセス端末装置１０６は、単一／一次ＲＬ搬送波上で多搬送波ＤＳＣ（データソース通信路）を送信することができる。アクセス端末装置１０６は、搬送波のＭＡＣ層割り当てを使用することができる。
【００５７】
（順方向リンクソフト合成モード）
アクセス端末装置１０６は、順方向リンクソフト合成モードで（複数のＦＬ搬送波にわたって受信されたデータをソフト合成して）多搬送波ＤＲＣを使用することができる。このモードでは、基地局１０４は、個々の順方向リンク上でパケットを同時に送信しなくてもよい、すなわち、この設計は、非同期伝送を使用して複数の搬送波にわたるソフトハンドオフをサポートする。アクセス端末装置１０６は、同一の基地局１０４による複数のＦＬ搬送波上の所与のスロット内の、アクセス端末装置１０６への伝送に基づき、ＤＲＣインデックスを示すことができる。
【００５８】
一実施形態では、システムまたはネットワーク１００は、ＧＡＵＰ（汎用属性更新プロトコル）を使用して、所与の端末装置１０６へのすべてのパケット伝送が、いくらかの長さの時間にわたる多搬送波伝送であることを示すことができる。アクセス端末装置１０６は、別段の指示があるまで、複合ＳＩＮＲ予測に基づいてＤＲＣを送信することができる。ＭＡＣ層１１００（図１１）が、信号マッピングを提供することができる。
【００５９】
ネットワークは、同一の時間間隔において１つの搬送波、または搬送波の組み合わせを使用してアクセス端末装置１０６にサービスを提供する、いくらかの柔軟性を有することが可能である。このことは、搬送波ごとに個別のＤＲＣを使用することも、複合ＳＩＮＲ予測に基づくＤＲＣを使用することもできる。ネットワークは、これら２つのＤＲＣレポートモードのいずれかで動作するよう、アクセス端末装置１０６を構成することができる。順方向リンクソフト合成モードは、例えば、アクセス端末装置１０６が、ＶｏＩＰフローに関して、またはすべてのタイプのフローに関して、劣悪なチャネル条件を経験する場合に、使用されることが可能である。
【００６０】
（ＭＡＣインデックスの数）
システム１００は、複数のＦＬ搬送波を割り当てられたアクセス端末装置１０６へのプリアンブル伝送のために、さらなるＭＡＣインデックスを使用することができる。搬送波当たりのＭＡＣインデックスの総数は、８ビットのプリアンブルＭＡＣインデックス、および双直交符号化された１２８チッププリアンブルを使用して、２５６まで増加されることが可能である。すなわち、
Ｗ（１２８，ｉ／４），０≦ｉ≦２５５
Ｗ（１２８，（ｉ−１）／４），１≦ｉ≦２５５
Ｗ（１２８，（ｉ−２）／４），２≦ｉ≦２５５
Ｗ（１２８，（ｉ−３）／４），３≦ｉ≦２５５
システム１００は、以下のとおり、ＭＵＰ（マルチユーザパケット）ヘッダの中のＰａｃｋｅｔＩｎｆｏ（パケット情報）フィールドを変更することができる。すなわち、１ビットフォーマットフィールド＋７ビットプリアンブル（ＭＡＣ）インデックス（例えば、フォーマットフィールドは、フォーマットＡまたはフォーマットＢの接続層パケットを示す）、および８ビットプリアンブル（ＭＡＣ）インデックスである。
【００６１】
図１０Ａは、図１の基地局１０４で実施されることが可能な、順方向リンク送信の連鎖、構造、またはプロセスの例を示す。図１０Ａに示される機能および構成要素は、ソフトウェアによって実施されても、ハードウェアによって実施されても、ソフトウェアとハードウェアの組み合わせによって実施されてもよい。図１０Ａに示される機能に加えて、またはそれらの代わりに、他の機能が、図１０Ａに追加されてもよい。
【００６２】
ブロック１００２で、符号器が、１つまたは複数の符号化スキームを使用してデータビットを符号化して、符号化されたデータチップをもたらす。各符号化スキームは、ＣＲＣ（巡回冗長検査）、畳込み符号化、ターボ符号化、ブロック符号化、その他のタイプの符号化の１つまたは複数のタイプを含むか、あるいは全く符号化を含まないことが可能である。その他の符号化スキームには、ＡＲＱ（自動再送要求）、混成ＡＲＱ、および増分冗長反復（ｉｎｃｒｅｍｅｎｔａｌ  ｒｅｄｕｎｄａｎｃｙ  ｒｅｐｅａｔ）技術が含まれることが可能である。異なるタイプのデータは、異なる符号化スキームを使用して符号化されることが可能である。
【００６３】
ブロック１００４で、インターリーバが、符号化されたデータビットをインタリーブして、フェージングを抑えようとする。ブロック１００６で、変調器が、符号化され、インタリーブされたデータを変調して、変調されたデータを生成する。変調技術の例には、ＢＰＳＫ（バイナリ位相偏移変調）およびＱＰＳＫ（直交位相偏移変調）が含まれる。
【００６４】
ブロック１００８で、中継器が、変調されたデータのシーケンスを反復すること、またはシンボルパンクチャ装置が、シンボルのビットをパンクチャリングする（ｐｕｎｃｔｕｒｅ）ことが可能である。ブロック１０１０で、拡散器（ｓｐｒｅａｄｅｒ）（例えば、乗算器）が、ウォルシュカバー（すなわち、ウォルシュ符号）を使用して、変調されたデータを拡散させて、データチップを形成することができる。
【００６５】
ブロック１０１２で、多重化装置が、それらのデータチップをパイロットチップおよびＭＡＣチップで時間分割多重化して、チップストリームを形成することができる。ブロック１０１４で、ＰＮ（擬似ランダムノイズ）拡散器が、１つまたは複数のＰＮ符号（例えば、短い符号、長い符号）で、そのチップストリームを拡散させる。次に、順方向リンク変調信号（送信されるチップ）が、アンテナを介して、無線通信リンクを介して１つまたは複数のアクセス端末装置１０６に送信される。
【００６６】
図１０Ｂは、図１のアクセス端末装置１０６において実施されることが可能な、順方向リンク受信の連鎖、プロセス、または構造の例を示す。図１０Ｂに示される機能および構成要素は、ソフトウェアによって実施されても、ハードウェアによって実施されても、ソフトウェアとハードウェアの組み合わせによって実施されてもよい。図１０Ｂに示される機能に加えて、またはそれらの代わりに、他の機能が、図１０Ｂに追加されてもよい。
【００６７】
１つまたは複数のアンテナ１０２０Ａ〜１０２０Ｂが、１つまたは複数の基地局１０４から、順方向リンク変調信号を受信する。複数のアンテナ１０２０Ａ〜１０２０Ｂが、フェージングなどの有害なパス影響に対抗して空間ダイバーシチを提供することができる。各受信信号は、それぞれのアンテナ受信機フィルタリングブロック１０２２に供給され、ブロック１０２２は、受信信号を調整し（フィルタリング、増幅、ダウンコンバートを行い）、デジタル化して、その受信信号に関するデータサンプルを生成する。
【００６８】
カスケードされた適応線形等化器１０２４が、データサンプルを受け取り、等化されたチップをブロック１０２５に生成する。ブロック１０２５は、ブロック１０１４で使用された１つまたは複数のＰＮ符号を使用して、それらのサンプルを逆拡散することができる。ブロック１０２６が、パイロット時間スキュー（ｔｉｍｅ  ｓｋｅｗ）を除去し、ブランクを挿入する。ブロック１０２８で、逆拡散器（ｄｅｓｐｒｅａｄｅｒ）が、ディウォルシュ（ｄｅＷａｌｓｈ）する、すなわち、基地局においてブロック１０１０でデータを拡散するのに使用されたのと同一の拡散シーケンスを使用して、受け取られたデータサンプルを逆拡散する、つまり、ウォルシュ符号を除去することができる。
【００６９】
ブロック１０３０で、復調器が、すべての受信信号に関するデータサンプルを復調して、回復されたシンボルをもたらす。ｃｄｍａ２０００の場合、復調は、（１）逆拡散されたサンプルをチャネル化（ｃｈａｎｎｅｌｉｚｅ）して、受信されたデータまたはパイロットを、それぞれの符号通信路上に分離する、またはチャネル化すること、および（２）回復されたパイロットを使用して、チャネル化されたデータをコヒーレントに復調して、復調されたデータをもたらすことによってデータ伝送を回復しようと試みる。復調ブロック１０３０は、レイク受信機を実装して、複数の信号インスタンスを処理することができる。
【００７０】
ブロック１０３４が、パンクチャリングされたシンボル位置を受け取り、シンボルを連続するビットに変換することができる。ブロック１０３２が、パンクチャリングされたビットエポック（ｅｐｏｃｈ）におけるＬＬＲ（対数尤度比（ｌｏｇ  ｌｉｋｅｌｉｈｏｏｄ  ｒａｔｉｏ））をゼロにする（ｚｅｒｏ）ことができる。ブロック１０３６が、通信路ディインタリーブを適用することができる。
【００７１】
ブロック１０３８で、通信路復号器が、復調されたデータを復号して、基地局１０４によって送信された、復号されたデータビットを回復する。
【００７２】
情報および信号は、様々な異なる技術および技法のいずれを使用して表現されてもよいことが、当業者には理解されよう。例えば、前段の説明のすべてにわたって言及されることが可能なデータ、命令、コマンド、情報、信号、ビット、シンボル、およびチップは、電圧、電流、電磁波、磁界または磁性粒子、光場または光の粒子、あるいは以上の任意の組み合わせによって表現されることが可能である。
【００７３】
本明細書で開示する実施形態に関連して説明される様々な例示的な論理ブロック、モジュール、回路、およびアルゴリズムステップは、電子ハードウェア、コンピュータソフトウェア、またはその両方の組み合わせとして実施されることが可能であることが、当業者にはさらに理解されよう。ハードウェアとソフトウェアの、この互換性を明示するのに、様々な例示的な構成要素、ブロック、モジュール、回路、およびステップは、機能の点で一般的に、前段で説明してきた。そのような機能が、ハードウェアとして実施されるか、またはソフトウェアとして実施されるかは、全体的なシステムに課せられる特定の応用および設計の制約に依存する。当業者は、特定の各応用例のために、説明した機能を様々な仕方で実施することができるが、そのような実施上の決定が、本発明の範囲からの逸脱を生じさせるものと解釈してはならない。
【００７４】
本明細書で開示する実施形態に関連して説明する様々な例示的な論理ブロック、モジュール、回路は、汎用プロセッサ、ＤＳＰ（デジタル信号プロセッサ）、ＡＳＩＣ（特定用途向け集積回路）、ＦＰＧＡ（フィールドプログラマブルゲートアレイ）、またはその他のプログラマブル論理デバイス、ディスクリートのゲートまたはトランジスタロジック、ディスクリートのハードウェア構成要素、あるいは本明細書で説明する機能を実行するように設計された、これらの任意の組み合わせを使用して、実施される、または実行されることが可能である。汎用プロセッサは、マイクロプロセッサであることが可能であるが、代替では、プロセッサは、任意の従来のプロセッサ、コントローラ、マイクロコントローラ、または状態マシンであることが可能である。また、プロセッサは、コンピューティングデバイスの組み合わせとして、例えば、ＤＳＰとマイクロプロセッサの組み合わせとして、複数のマイクロプロセッサとして、ＤＳＰコアと連携する１つまたは複数のマイクロプロセッサとして、あるいは他の任意のそのような構成として実施されることも可能である。
【００７５】
本明細書で開示する実施形態に関連して説明する方法またはアルゴリズムのステップは、ハードウェアとして直接に実現されても、プロセッサによって実行されるソフトウェアモジュールとして実現されても、あるいはその２つの組み合わせとして実現されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または他の任意の形態の記憶媒体の中に存在することが可能である。記憶媒体は、プロセッサが、その記憶媒体から情報を読み取り、その記憶媒体に情報を書き込むことができるように、プロセッサに結合される。代替では、記憶媒体は、プロセッサと一体化していてもよい。プロセッサと記憶媒体は、ＡＳＩＣの中に存在することが可能である。ＡＳＩＣは、ユーザ端末装置の中に存在することが可能である。代替では、プロセッサと記憶媒体は、ユーザ端末装置内部にディスクリートの構成要素として存在してもよい。
【００７６】
見出しは、参照のため、および特定のセクションを探し出すのに役立つように本明細書に含められている。これらの見出しは、それらの見出しの下に記載される概念の範囲を限定することを意図するものではなく、それらの概念は、本明細書全体の他のセクションにおいても適用可能性を有することが可能である。
【００７７】
開示する実施形態の前段の説明は、当業者が、本発明を作成する、または使用することを可能にするように提供されている。それらの実施形態の様々な変形が、当業者には、直ちに明白となり、本明細書で定義する一般的な原理は、本発明の趣旨または範囲を逸脱することなく、他の実施形態に適用されることが可能である。このため、本発明は、本明細書に示す実施形態に限定されることは意図されず、本明細書で開示する原理、および新奇な特徴と合致する最も広い範囲を与えられるべきである。
【表１】
2008533828.tif 000003
【図面の簡単な説明】
【００７８】
【図１】基地局およびアクセス端末装置を有する無線通信システムを示す。
【図２】対称的な順方向リンクと逆方向リンクの搬送波割り当ての例を示す。
【図３Ａ】非対称的な搬送波割り当ての例を示す。
【図３Ｂ】非対称的な搬送波割り当ての例を示す。
【図４Ａ】単一順方向リンク搬送波に関するＤＲＣ（データ転送速度制御）逆方向リンク伝送の例を示す。
【図４Ｂ】多搬送波の時間分割多重化されたＤＲＣの例を示す。
【図４Ｃ】多搬送波の時間分割多重化されたＤＲＣの例を示す。
【図４Ｄ】多搬送波の時間分割多重化されたＤＲＣの例を示す。
【図４Ｅ】多搬送波の時間分割多重化されたＤＲＣの例を示す。
【図４Ｆ】多搬送波の時間分割多重化されたＤＲＣの例を示す。
【図５】（Ａ）は２つの順方向リンク搬送波が、異なる２つの速度でデータを送信するよう、基地局に２つのＤＲＣ通信路送信要求を送信するアクセス端末装置の例を示す。（Ｂ）は２つの順方向リンク搬送波が、異なる２つの速度でデータを送信するよう、基地局に２つのＤＲＣ通信路送信要求を送信するアクセス端末装置の例を示す。（Ｃ）は順方向トラフィック通信路サブパケットを２つの順方向リンク搬送波で、異なる２つの速度で送信する基地局を示す。（Ｄ）は順方向トラフィック通信路サブパケットを２つの順方向リンク搬送波で、異なる２つの速度で送信する基地局を示す。（Ｅ）は２つの順方向リンク搬送波に関する単一の逆方向リンク通信路上でＡＣＫ（肯定応答）およびＮＡＫ（否定応答）を送信するアクセス端末装置を示す。
【図６】単一搬送波ＤＲＣメッセージを伝送に向けて準備するためのプロセスおよび構造を示す。
【図７】別々の多搬送波ＤＲＣ速度とＤＲＣカバーの伝送（ｍｕｌｔｉ−ｃａｒｒｉｅｒ  ＤＲＣ  ｒａｔｅ  ａｎｄ  ｃｏｖｅｒ  ｔｒａｎｓｍｉｓｓｉｏｎ）のためのプロセスおよび構造を示す。
【図８】別々の多搬送波ＤＲＣ速度とＤＲＣカバーの伝送（ｍｕｌｔｉ−ｃａｒｒｉｅｒ  ＤＲＣ  ｒａｔｅ  ａｎｄ  ｃｏｖｅｒ  ｔｒａｎｓｍｉｓｓｉｏｎ）のためのプロセスおよび構造を示す。
【図９】ＡＣＫ通信路伝送を準備するための構造およびプロセスを示す。
【図１０Ａ】図１の基地局において実施されることが可能な順方向リンク送信の連鎖、構造、またはプロセスの例を示す。
【図１０Ｂ】図１のアクセス端末装置において実施されることが可能な順方向リンク受信の連鎖、プロセス、または構造の例を示す。
【図１１】図１のアクセス端末装置のいくつかの構成要素を示す。
【図１】
2008533828.tif 000004
【図２】
2008533828.tif 000005
【図３Ａ】
2008533828.tif 000006
【図３Ｂ】
2008533828.tif 000007
【図４Ａ】
2008533828.tif 000008
【図４Ｂ】
2008533828.tif 000009
【図４Ｃ】
2008533828.tif 000010
【図４Ｄ】
2008533828.tif 000011
【図４Ｅ】
2008533828.tif 000012
【図４Ｆ】
2008533828.tif 000013
【図５】
2008533828.tif 000014
【図６】
2008533828.tif 000015
【図７】
2008533828.tif 000016
【図８】
2008533828.tif 000017
【図９】
2008533828.tif 000018
【図１０Ａ】
2008533828.tif 000019
【図１０Ｂ】
2008533828.tif 000020
【図１１】
2008533828.tif 000021
【国際調査報告】
2008533828.tif 000022
2008533828.tif 000023
2008533828.tif 000024